(57)【要約】【課題】光軸に対する撮像素子の垂直度の調整を簡易な機構により好適に行うことができるレンズ調整機構を提供することである。【解決手段】第１調整部６によって、フレームＦの内側に第１摺動軸２に沿って支持されたスライド枠１を、当該第１摺動軸２まわりに揺動させ傾きを調整し、第２調整部７によって、スライド枠１の内側に第１摺動軸２と直交する第２摺動軸４に沿って支持される玉枠３を、当該第２摺動軸４まわりに揺動させ傾き調整する。【選択図】図３
2009047723.tif 000002
【特許請求の範囲】
【請求項１】
フレームの内側に第１摺動軸に沿って摺動可能に支持されたスライド枠と、
前記スライド枠の内側に前記第１摺動軸と直交する第２摺動軸に沿って摺動可能に支持されるとともにレンズユニットを備える玉枠と、
前記スライド枠を前記第１摺動軸まわりに揺動させ傾き調整を行う第１調整部と、
前記玉枠を前記第２摺動軸まわりに揺動させ傾き調整を行う第２調整部と、
を備えることを特徴とするレンズ調整機構。
【請求項２】
前記第１調整部及び前記第２調整部は、前記フレームに設けられていることを特徴とする請求項１に記載のレンズ調整機構。
【請求項３】
前記第１調整部は、前記フレームに設けられ、
前記第２調整部は、前記スライド枠に設けられていることを特徴とする請求項１に記載のレンズ調整機構。
【請求項４】
前記スライド枠及び前記玉枠は、当該スライド枠及び当該玉枠が押圧される方向と逆方向に、付勢手段によって付勢されていることを特徴とする請求項１〜３の何れか一項に記載のレンズ調整機構。
【発明の詳細な説明】
【技術分野】
【０００１】
本発明は、レンズ調整機構に関する。
【背景技術】
【０００２】
近年、小型の撮像装置が携帯電話機やＰＤＡ（Personal Digital Assistant）等の小型の携帯端末に搭載されるようになっている。この携帯端末に内蔵される撮像装置は、使用される撮像素子が小型化されたことに伴い、撮像光学系の焦点距離が非常に短くなるため、像面側での焦点深度は非常に浅くなり、撮像面に対する撮像光学系の光軸方向の移動量とその設定位置及び撮像素子と光軸の垂直度には厳しい精度が要求される。
【０００３】
そして、従来の撮像装置では、例えば、３軸調整により、図５（ａ）に示すように、レンズユニットは固定した状態で、補正動作を行う撮像素子の傾きのみを調整するものや、図５（ｂ）に示すように、レンズユニットに撮像素子を傾き調整した状態で取り付け、カメラユニット全体を補正駆動するものなどが知られている。
【０００４】
また、調整部材を回転させると、素子取付板の突起部が螺旋状のカム面に弾力的に当接した状態で相対的に移動し、この螺旋状のカム面の傾斜に応じて素子取付板がレンズ筐体に対して接近離間する方向に移動し、これにより素子取付板がレンズ筐体の光軸に対し傾いて撮像素子を傾ける撮像素子の傾き調整装置が知られている（特許文献１参照）。
【特許文献１】特開２００１−２１８１０２号公報
【発明の開示】
【発明が解決しようとする課題】
【０００５】
しかしながら、従来技術の場合、レンズユニットと撮像素子間の相対位置の角度調整は、３軸調整により行われていたため、調整機構が複雑になるという問題がある。また、図５（ａ）や上記特許文献１に記載の発明のように、撮像素子の傾きのみを調整する機構では、撮像素子自体には多数の配線があり、撮像素子を可動させることにより、断線の虞がある。また、図５（ｂ）に示すように、カメラユニット全体を補正駆動する機構では、機構自体が大型となる問題がある。
【０００６】
本発明の課題は、光軸に対する撮像素子の垂直度の調整を簡易な機構により好適に行うことができるレンズ調整機構を提供することである。
【課題を解決するための手段】
【０００７】
以上の課題を解決するため、請求項１に記載の発明は、
フレームの内側に第１摺動軸に沿って摺動可能に支持されたスライド枠と、
前記スライド枠の内側に前記第１摺動軸と直交する第２摺動軸に沿って摺動可能に支持されるとともにレンズユニットを備える玉枠と、
前記スライド枠を前記第１摺動軸まわりに揺動させ傾き調整を行う第１調整部と、
前記玉枠を前記第２摺動軸まわりに揺動させ傾き調整を行う第２調整部と、
を備えることを特徴とする。
【０００８】
請求項２に記載の発明は、請求項１に記載のレンズ調整機構において、
前記第１調整部及び前記第２調整部は、前記フレームに設けられていることを特徴とする。
【０００９】
請求項３に記載の発明は、請求項１に記載のレンズ調整機構において、
前記第１調整部は、前記フレームに設けられ、
前記第２調整部は、前記スライド枠に設けられていることを特徴とする。
【００１０】
請求項４に記載の発明は、請求項１〜３の何れか一項に記載のレンズ調整機構において、
前記スライド枠及び前記玉枠は、当該スライド枠及び当該玉枠が押圧される方向と逆方向に、付勢手段によって付勢されていることを特徴とする。
【発明の効果】
【００１１】
請求項１に記載の発明によれば、第１調整部によって、撮像装置のフレームの内側に第１摺動軸に沿って支持されたスライド枠を、当該第１摺動軸まわりに揺動させ傾きを調整することができ、第２調整部によって、スライド枠の内側に第１摺動軸と直交する第２摺動軸に沿って支持される玉枠を、当該第２摺動軸まわりに揺動させ傾き調整することができる。
従って、第１摺動軸及び第２摺動軸の２軸の調整により、ヨー方向及びピッチ方向において、玉枠に備えられたレンズユニットの傾きを調整することができることとなり、光軸に対する撮像素子の垂直度の調整を簡易な機構により好適に行うことができる。
【００１２】
請求項２に記載の発明によれば、請求項１に記載の発明と同様の効果が得られることは無論のこと、第１調整部及び第２調整部は、それぞれ固定部材であるフレームに設けられているため、安定した角度調整を行うことができるとともに、第１調整部による調整結果に依存することなく、第２調整部での調整を好適に行うことができることとなり、光軸に対する撮像素子の垂直度の調整を簡易な機構によって、より好適に行うことができる。
また、第１調整部による調整結果に依存することなく、第２調整部での調整を行うことができるので、例えば、自動調整を容易に行うことが可能となる。
【００１３】
請求項３に記載の発明によれば、請求項１に記載の発明と同様の効果が得られることは無論のこと、第１調整部は、フレームに設けられ、第２調整部は、スライド枠に設けられているため、第１調整部で調整されたスライド枠の角度調整に連動して、当該スライド枠に設けられた第２調整部により、玉枠の角度調整を行うことができることとなり、レンズユニットの動きが把握し易く、光軸に対する撮像素子の垂直度の調整を簡易な機構によって簡単に行うことができる。
【００１４】
請求項４に記載の発明によれば、請求項１〜３の何れか一項に記載の発明と同様の効果が得られることは無論のこと、スライド枠及び玉枠は、当該スライド枠及び当該玉枠が押圧される方向と逆方向に、付勢手段によって付勢されているので、スライド枠及び玉枠に生じる振動を好適に低減することができることとなり、第１調整部及び第２調整部によって角度調整する際、安定した角度調整を行うことができる。
【発明を実施するための最良の形態】
【００１５】
以下、図を参照して、本発明に係るレンズ調整機構を実施するための最良の形態を詳細に説明する。
【００１６】
（第１の実施形態）
まず、本発明に係る第１の実施形態のレンズ調整機構１００について図を参照しながら説明する。なお、レンズ調整機構１００は、例えば、図１（ａ）及び（ｂ）に示すように、携帯電話機３００の機器本体内に備えられた撮像装置４００に備えられている。
この携帯電話機３００は、機器本体の背面側に撮像装置４００が配されており、その背面側を被写体に向けるようにして撮像装置４００で捉えた被写体像を、機器本体の正面側に配設されている液晶画面３０１に表示可能としており、その液晶画面３０１に表示される被写体像を確認して、所望する被写体の撮像を行うようになっている。
【００１７】
撮像装置４００は、図２、図３（ａ）、（ｂ）及び（ｃ）に示すように、略箱状のフレームＦと、フレームＦの上部開口を塞ぐ略平板状のカバーＦｃとを備えて略筐体形状を呈している。そして、この筐体の内部は中空になっており、この中空部分に光学部材であるレンズユニット５や、レンズユニット５を移動させる移動機構４５０を収容するようになっている。
なお、例えば、図３（ｂ）及び（ｃ）に示すように、フレームＦの底面の中央側には、レンズユニット５によって被写体像が結像されるＣＣＤ（Charge Coupled Device）やＣＭＯＳ（Complementary Metal-Oxide Semiconductor）などの撮像素子Ｃが備えられており、また、図２に示すように、カバーＦｃの略中央側にはレンズユニット５や撮像素子Ｃの位置に対応する開口Ｆｈが形成されている。
【００１８】
レンズ調整機構１００は、例えば、図３（ａ）、（ｂ）及び（ｃ）に示すように、撮像装置４００のフレームＦの内側にスライド枠１と、スライド枠１を摺動可能に支持する第１摺動軸２と、スライド枠１の内側に備えられた玉枠３と、玉枠３を摺動可能に支持する第２摺動軸４と、玉枠３に備えられたレンズユニット５と、スライド枠１の傾きを調整する第１調整部６と、玉枠３の傾きを調整する第２調整部７と、スライド枠１に付勢される第１バネ８と、玉枠３に付勢される第２バネ９と、を備えて構成されている。
【００１９】
スライド枠１は、図３（ａ）の平面図に示すように、矩形枠状に形成され、撮像装置４００のフレームＦの内側に設けられ、図３（ｂ）及び（ｃ）に示すように、撮像装置４００に備えられた撮像素子Ｃに対して平行となるように配設されている。また、スライド枠１の一端部には、第１摺動軸２が挿通される第１摺動部１ａが備えられている。
【００２０】
第１摺動軸２は、図３（ａ）の平面図に示すように、両端部がフレームＦの内側に固定されている。また、第１摺動軸２は第１摺動部１ａを軸支しており、これによりスライド枠１が第１摺動軸２に沿って摺動可能となるとともに、第１摺動軸２まわりでスライド枠１が揺動可能となる。
また、第１摺動軸２に沿ってスライド枠１が摺接移動可能となっており、これにより、スライド枠１及び第１摺動軸２は、移動機構４５０としても機能する。
【００２１】
玉枠３は、図３（ａ）の平面図に示すように、矩形枠状に形成され、スライド枠１の内側に設けられ、スライド枠１と同様に、図３（ｂ）及び（ｃ）に示すように、撮像装置４００に備えられた撮像素子Ｃに対して平行となるように配設されている。また、玉枠３の一端部には、第２摺動軸４が挿通される第２摺動部３ａが備えられるともに、他端部に玉枠３よりも結像側に突出して玉枠３と平行な当接面部３ｂ１を有する突片３ｂが備えられている。
【００２２】
第２摺動軸４は、図３（ａ）の平面図に示すように、両端部がスライド枠１の内側に固定されており、第１摺動軸２と直交するように配設されている。また、第２摺動軸４で第２摺動部３ａを軸支しており、これにより玉枠３が第２摺動軸４に沿って摺動可能となるとともに、第２摺動軸４まわりで玉枠３が揺動可能となる。
また、第２摺動軸４に沿って玉枠３が摺接移動可能となっており、これにより、玉枠３及び第２摺動軸４は、移動機構４５０としても機能する。
【００２３】
レンズユニット５は、被写体の光学像を取り込む複数のレンズを備えており、その光軸Ｌ上において被写体の光学像を結像する。また、レンズユニット５は、図３（ａ）に示すように、玉枠３の内側に固定されている。
【００２４】
第１調整部６は、図３（ｂ）に示すように、フレームＦに内設されており、軸方向が光軸Ｌと略直交する第１調整軸６ａと、一端部がこの第１調整軸６ａの先端部６ａ１と当接し軸方向が光軸Ｌと略平行な第１平行ピン６ｂと、この第１平行ピン６ｂの他端部に備えられた第１球６ｃと、を備えている。
【００２５】
第１調整軸６ａの先端部６ａ１は、断面が楕円形状をなしており、第１調整軸６ａを回動させることにより、先端部６ａ１に対して垂直に一端部が当接している第１平行ピン６ｂは、往復運動（図３（ｂ）の左右方向）する。
また、第１平行ピン６ｂの他端部には、第１球６ｃを備えられ、第１球６ｃがスライド枠１の第１摺動部１ａを有する端部と対向する他端部に当接する位置に配置されている。
【００２６】
第２調整部７は、図３（ｃ）に示すように、フレームＦに内設されており、軸方向が光軸Ｌと略直交する第２調整軸７ａと、一端部がこの第２調整軸７ａの先端部７ａ１と当接し軸方向が光軸Ｌと略平行な第２平行ピン７ｂと、この第２平行ピン７ｂの他端部に備えられた第２球７ｃと、を備えている。
【００２７】
第２調整軸７ａの先端部７ａ１は、第１調整軸６ａの先端部６ａ１と同様に、断面が楕円形状をなしており、第２調整軸７ａを回動させることにより、先端部７ａ１に対して垂直に一端部が当接している第２平行ピン７ｂは、往復運動（図３（ｃ）の上下方向）する。
また、第２平行ピン７ｂの他端部には、第２球７ｃが備えられ、第２球７ｃが玉枠３の突片３ｂの当接面部３ｂ１に当接する位置に配置されている。
【００２８】
第１バネ８は、一端がフレームＦに固定されるとともに、他端がスライド枠１に固定されており、第１調整部６によってスライド枠１を押圧する方向と逆方向に付勢されている。また、第２バネ９は、一端がフレームＦに固定されるとともに、他端が玉枠３に固定されており、第１バネ８と同様に、第２調整部７によって玉枠３を押圧する方向と逆方向に付勢されている。
これにより、第１バネ８及び第２バネ９は、付勢手段として機能する。
【００２９】
なお、移動機構４５０は、上述のように、スライド枠１、第１摺動軸２、玉枠３、第２摺動軸４、スライド枠１を駆動させる第１駆動装置（図示省略）及び玉枠３に備えられた第２駆動装置（図示省略）等を備えている。そして、第１駆動装置は、第１摺動部１ａを一の方向であるＸ軸方向に摺接移動可能としており、その第１摺動部１ａをＸ軸方向に摺動させることにより、スライド枠１を介して玉枠３をＸ軸方向に移動させることで、レンズユニット５をＸ軸方向に移動させてその位置を変更することができる。
また、玉枠３に備えられた第２駆動装置（図示省略）は、第２摺動部３ａを、Ｘ軸方向と直交するＹ軸方向に摺接移動可能としており、その第２摺動部３ａをＹ軸方向に摺動させることにより、玉枠３を相対的にＹ軸方向に移動させることで、レンズユニット５をＹ軸方向に移動させてその位置を変更することができる。
【００３０】
このように、移動機構４５０が備える第１駆動装置と第２駆動装置とによって、撮像装置４００におけるレンズユニット５を直交する２方向に移動可能としている。そして、この撮像装置４００は、第１駆動装置と第２駆動装置の協働によってレンズユニット５を任意の方向に移動させて撮像素子Ｃに被写体像を導くことができるので、ユーザが保持する携帯電話機３００（カメラ）のずれやぶれを相殺するようにレンズユニット５を移動させることで、被写体の撮像時に手振れ補正を行うことを可能としている。
【００３１】
次に、第１の実施形態のレンズ調整機構１００を用いた角度調整方法について説明する。なお、角度調整は光軸Ｌに対する撮像素子Ｃの垂直度（いわゆるヨー方向とピッチ方向）の調整を目的とするものであり、少なくとも２軸の調整が必要であり、かかる２軸の一方であるＸ軸（ピッチ方向）を第１摺動軸２、他方のＹ軸（ヨー方向）を第２摺動軸４として説明する。
【００３２】
例えば、撮像装置４００に備えられる移動機構４５０を組み立てた際、組み立て時におけるばらつきや設計上のばらつきが原因でレンズユニット５の光軸Ｌに対する垂直度が精度良く決められない場合において、第１摺動軸２まわりの傾きを調整する場合は、第１調整軸６ａをドライバなどの工具により回動させることにより、第１調整軸６ａに当接する第１平行ピン６ｂを移動させる。そして、当該第１平行ピン６ｂの端部に設けられた第１球６ｃで、スライド枠１の第１摺動部１ａを有する端部と対向する他端部を押圧することにより、第１摺動軸２まわりにスライド枠１を揺動させ、Ｘ軸（ピッチ方向）の角度調整を行う。
次いで、第２摺動軸４まわりの傾きを調整する場合は、第２調整軸７ａをドライバなどの工具により回動させることにより、第２調整軸７ａに当接する第２平行ピン７ｂを移動させる。そして、当該第２平行ピン７ｂの端部に設けられた第２球７ｃで、玉枠３の突片３ｂを押圧することにより、第２摺動軸４まわりに玉枠３を揺動させ、Ｙ軸（ヨー方向）の角度調整を行う。
【００３３】
以上に説明した本発明に係る第１の実施形態のレンズ調整機構１００によれば、第１調整部６によって、フレームＦの内側に第１摺動軸２に沿って支持されたスライド枠１を、当該第１摺動軸２まわりに揺動させ傾きを調整することができ、第２調整部７によって、スライド枠１の内側に第１摺動軸２と直交する第２摺動軸４に沿って支持される玉枠３を、当該第２摺動軸４まわりに揺動させ傾き調整することができる。
従って、第１摺動軸２及び第２摺動軸４の２軸の調整により、ピッチ方向及びヨー方向において、玉枠３に備えられたレンズユニット５の傾きを調整することができることとなり、光軸に対する撮像素子の垂直度の調整を簡易な機構により好適に行うことができる。
また、第１調整部６及び第２調整部７は、それぞれ固定部材であるフレームＦに設けられているため、安定した角度調整を行うことができるとともに、第１調整部６による調整結果に依存することなく、第２調整部７での調整を好適に行うことができることとなり、光軸に対する撮像素子の垂直度の調整を簡易な機構によって、より好適に行うことができる。
また、第１調整部６による調整結果に依存することなく、第２調整部７での調整を行うことができるので、例えば、自動調整を容易に行うことが可能となる。
さらに、スライド枠１及び玉枠３は、当該スライド枠１及び当該玉枠３が押圧される方向と逆方向に、それぞれ、第１バネ８、第２バネ９によって付勢されているので、スライド枠１及び玉枠３に生じる振動を好適に低減することができることとなり、第１調整部６及び第２調整部７によって角度調整する際、安定した角度調整を行うことができる。
【００３４】
（第２の実施形態）
次に、本発明に係る第２の実施形態のレンズ調整機構２００について、図を参照しながら説明する。なお、第１の実施形態と同一部分には同一符号を付し、異なる部分についてのみ説明する。
【００３５】
スライド枠２０１は、図４（ａ）の平面図に示すように、矩形枠状に形成され、撮像装置のフレームＦの内側に設けられ、図４（ｂ）及び（ｃ）に示すように、撮像装置４００に備えられた撮像素子Ｃに対して平行となるように配設されている。また、スライド枠２０１の一端部には、第１摺動軸２が挿通される第１摺動部２０１ａが備えられるとともに、他端部には第２調整部２０７を内設するための突片２０１ｂが光軸Ｌと略直交するように備えられている。
【００３６】
玉枠２０３は、図４（ａ）の平面図に示すように、矩形枠状に形成され、スライド枠２０１の内側に設けられ、スライド枠２０１と同様に、図４（ｂ）及び（ｃ）に示すように、撮像装置４００に備えられた撮像素子Ｃに対して平行となるように配設されている。また、玉枠２０３の一端部には、第２摺動軸４が挿通される第２摺動部２０３ａが備えられるともに、他端部には、玉枠３よりも入射側に突出して玉枠３と平行な当接面部２０３ｂ１を有する突片２０３ｂが備えられている。
【００３７】
第２調整部２０７は、図４（ｃ）に示すように、スライド枠２０１の突片２０１ｂに内設されており、軸方向が光軸Ｌと略直交する第２調整軸２０７ａと、一端部がこの第２調整軸２０７ａの先端部２０７ａ１と当接し軸方向が光軸Ｌと略平行な第２平行ピン２０７ｂと、この第２平行ピン２０７ｂの他端部に備えられた第２球２０７ｃと、を備えている。
【００３８】
第２調整軸２０７ａの先端部２０７ａ１は、第１調整軸６ａの先端部６ａ１と同様に、断面が楕円形状をなしており、第２調整軸２０７ａを回動させることにより、先端部２０７ａ１に対して垂直に一端部が当接している第２平行ピン２０７ｂは、往復運動（図４（ｃ）の上下方向）する。
また、第２平行ピン２０７ｂの他端部には、第２球２０７ｃが備えられ、第２球２０７ｃが玉枠２０３の突片２０３ｂに当接する位置に配置されている。
なお、ドライバ等の工具により、第２調整軸２０７ａを回動させる際、当該工具を挿入するための開口部ＨがフレームＦの第２調整軸２０７ａの端部に対向する位置に穿設されている。
【００３９】
次に、第２の実施形態のレンズ調整機構２００を用いた角度調整方法について説明する。
【００４０】
例えば、撮像装置４００に備えられる移動機構４５０を組み立てた際、組み立て時におけるばらつきや設計上のばらつきが原因でレンズユニット５の光軸Ｌに対する垂直度が精度良く決められない場合において、第１摺動軸２まわりの傾きを調整する場合は、第１調整軸６ａをドライバなどの工具により回動させることにより、第１調整軸６ａに当接する第１平行ピン６ｂを移動させる。そして、当該第１平行ピン６ｂの端部に設けられた第１球６ｃで、スライド枠２０１の第１摺動部２０１ａを有する端部と対向する他端部を押圧することにより、第１摺動軸２まわりにスライド枠２０１を揺動させＸ軸（ピッチ方向）の角度調整を行う。
次いで、第２摺動軸４まわりの傾きを調整する場合は、第２調整軸２０７ａをドライバなどの工具により回動させることにより、第２調整軸２０７ａに当接する第２平行ピン２０７ｂを移動させる。そして、当該第２平行ピン２０７ｂの端部に設けられた第２球２０７ｃで、玉枠２０３の突片２０３ｂを押圧することにより、第２摺動軸４まわりに玉枠２０３を揺動させＹ軸（ヨー方向）の角度調整を行う。
【００４１】
以上に説明した本発明に係る第２の実施形態のレンズ調整機構２００によれば、第１調整部６によって、フレームＦの内側に第１摺動軸２に沿って支持されたスライド枠２０１を、当該第１摺動軸２まわりに揺動させ傾きを調整することができ、第２調整部２０７によって、スライド枠２０１の内側に第１摺動軸２と直交する第２摺動軸４に沿って支持される玉枠２０３を、当該第２摺動軸４まわりに揺動させ傾き調整することができる。
従って、第１摺動軸２及び第２摺動軸４の２軸の調整により、ピッチ方向及びヨー方向において、玉枠２０３に備えられたレンズユニット５の傾きを調整することができることとなり、光軸に対する撮像素子の垂直度の調整を簡易な機構により好適に行うことができる。
また、第１調整部６は、フレームＦに設けられ、第２調整部２０７は、スライド枠２０１に設けられているため、第１調整部６で調整されたスライド枠２０１の角度調整に連動して、当該スライド枠２０１に設けられた第２調整部２０７により、玉枠２０３の角度調整を行うことができることとなり、レンズユニット５の動きが把握し易く、光軸に対する撮像素子Ｃの垂直度の調整を簡易な機構によって簡単に行うことができる。
さらに、スライド枠２０１及び玉枠２０３は、当該スライド枠２０１及び当該玉枠２０３が押圧される方向と逆方向に、それぞれ、第１バネ８、第２バネ９によって付勢されているので、スライド枠２０１及び玉枠２０３に生じる振動を好適に低減することができることとなり、第１調整部６及び第２調整部２０７によって角度調整する際、安定した角度調整を行うことができる。
【００４２】
なお、本発明は、上記実施の形態に限定されることなく、本発明の趣旨を逸脱しない範囲において、種々の改良並びに設計の変更を行っても良い。
例えば、本発明の上記実施の形態では、玉枠を第２摺動軸まわりに揺動させる際、玉枠の端部に設けられた突片を第２調整部により押圧して調整する設計としたが、突片を設けず、直接、玉枠の端部を第２調整部によって押圧する設計であっても良い。
【図面の簡単な説明】
【００４３】
【図１】携帯電話機を示す正面図（ａ）と、背面図（ｂ）である。
【図２】撮像装置を示す斜視図である。
【図３】本発明に係る第１の実施形態のレンズ調整機構の要部構成図であり、（ａ）図は、レンズ調整機構の平面図、（ｂ）図は、（ａ）図のｂ−ｂ線における断面図、（ｃ）図は、（ａ）図のｃ−ｃ線における断面図である。
【図４】本発明に係る第２の実施形態のレンズ調整機構の要部構成図であり、（ａ）図は、レンズ調整機構の平面図、（ｂ）図は、（ａ）図のｂ−ｂ線における断面図、（ｃ）図は、（ａ）図のｃ−ｃ線における断面図である。
【図５】従来の撮像装置において光軸に対する撮像素子の角度調整を示す概略図である。
【符号の説明】
【００４４】
１００      レンズ調整機構（第１の実施形態）
１          スライド枠
２          第１摺動軸
３          玉枠
４          第２摺動軸
５          レンズユニット
６          第１調整部
７          第２調整部
８          第１バネ（付勢手段）
９          第２バネ（付勢手段）
２００      レンズ調整機構（第２の実施形態）
２０１      スライド枠
２０３      玉枠
２０７      第２調整部
３００      携帯電話機
４００      撮像装置
４５０      移動機構
Ｃ          撮像素子
Ｆ          フレーム
【図１】
2009047723.tif 000003
【図２】
2009047723.tif 000004
【図３】
2009047723.tif 000005
【図４】
2009047723.tif 000006
【図５】
2009047723.tif 000007